(57)【要約】【課題】開閉部材と、各開閉部材により個別に支持された円弧状ギヤ片から成る分割可能な環状ギヤ部材と、各円弧状ギヤ片に固定された分割ギミック片とから構成し、各開閉部材が閉止位置にある時に各円弧状ギヤ片の端縁同志が連結して一つの環状ギヤ部材を構成して回転可能となるように構成し、遊技内容に変化、意外性をもたらす。【解決手段】複数の開閉部材３１と、各開閉部材により夫々支持されて各開閉部材が閉止位置にあるときに各端縁同志を結合させて回転可能な環状ギヤ部材４０となる円弧状ギヤ片４１、４２と、各開閉部材に設けられて各円弧状ギヤ片を円弧状軌道に沿って移動可能にガイドするガイド部３５と、各開閉部材が閉止位置にある時に各端部同士が電気的に接続されて環状電極３７を形成する電極片３７ａと、光源を搭載した分割ギミック片に設けられて環状電極と摺動接触して電流の供給を受ける摺動電極６４と、を備えた。【選択図】図３
2011010813.tif 000002
【特許請求の範囲】
【請求項１】
内側端縁を近接させた閉止位置と離間させた離間位置との間を開閉自在に移動する複数の開閉部材と、前記各開閉部材により夫々支持されて該各開閉部材が閉止位置にあるときに各端縁同志を結合させて回転可能な環状ギヤ部材となる円弧状ギヤ片と、少なくとも一方の前記開閉部材により支持されて前記環状ギヤ部材に駆動力を伝達する駆動機構と、前記各開閉部材に設けられて前記各円弧状ギヤ片を円弧状軌道に沿って移動可能にガイドするガイド部と、を備え、
前記各円弧状ギヤ片には、夫々結合することにより一つのギミックを構成する分割ギミック片が固定されており、且つ少なくとも一つの前記分割ギミック片には光源が搭載されており、
前記各開閉部材に固定配置され該各開閉部材が閉止位置にある時に各端部同士が電気的に接続されて環状電極を形成する電極片と、前記光源を搭載した前記分割ギミック片に設けられて前記環状電極と摺動接触して電流の供給を受ける摺動電極と、
を備えたことを特徴とする装飾体ユニット。
【請求項２】
内側端縁を近接させた閉止位置と離間させた離間位置との間を開閉自在に移動する２つの開閉部材と、前記２つの開閉部材により夫々支持されて各開閉部材が閉止位置にあるときに各端縁同志を結合させて回転可能な環状ギヤ部材となる２つの半環状ギヤ片と、少なくとも一方の前記開閉部材により支持されて前記環状ギヤ部材に駆動力を伝達する駆動機構と、前記各開閉部材に設けられて前記各半環状ギヤ片を半円周軌道に沿って移動可能にガイドするガイド部と、を備え、
前記各半環状ギヤ片には、夫々結合することにより一つのギミックを構成する分割ギミック片が固定されており、且つ少なくとも一つの前記分割ギミック片には光源が搭載されており、
前記各開閉部材に固定配置され該各開閉部材が閉止位置にある時に各端部同士が電気的に接続されて環状電極を形成する電極片と、前記光源を搭載した前記分割ギミック片に設けられて前記環状電極と摺動接触して電流の供給を受ける摺動電極と、
を備えたことを特徴とする装飾体ユニット。
【請求項３】
前記環状ギヤ部材を周方向サイズの異なる２つの円弧状ギヤ片から構成したことを特徴とする請求項１に記載の装飾体ユニット。
【請求項４】
前記環状ギヤ部材を少なくとも３個の円弧状ギヤ片から構成したことを特徴とする請求項１に記載の装飾体ユニット。
【請求項５】
前記各円弧状ギヤ片、又は前記各半環状ギヤ片の各端縁が、前記各開閉部材の各内側端縁に沿って並行する初期位置となるように前記各円弧状ギヤ片、又は前記各半環状ギヤ片を位置決めする位置決め手段を備えたことを特徴とする請求項１乃至４の何れか一項に記載の装飾体ユニット。
【請求項６】
前記位置決め手段は、前記ガイド部に設けた切欠き部から露出した環状ギヤ部材の一部に設けたマーカーと、該マーカーを検知する検知手段と、から構成されていることを特徴とする請求項５に記載の装飾体ユニット。
【請求項７】
請求項１乃至６の何れか一項に記載の装飾体ユニットと、遊技盤とを備えたことを特徴とする遊技盤ユニット。
【請求項８】
請求項７に記載の遊技盤ユニットを備えたことを特徴とするパチンコ遊技機。
【発明の詳細な説明】
【技術分野】
【０００１】
本発明は、パチンコ遊技機を構成する遊技盤面上において種々動作することによって遊技進行上特徴的な演出効果を発揮するように構成された装飾体を備えた装飾体ユニット、遊技盤ユニット、及びパチンコ遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。例えば、遊技の進行中における入賞、その他の状況変化を契機として可動盤面部品（装飾体）を種々の方向に動作させることにより演出効果を高めている。
例えば、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、大当たりになると図柄表示装置の表示内容に連動して役物を左右に動作させる構成が開示されている。また、特許文献２には、図柄が所定の組合せになると、役物を遊技盤の前後方向に移動させる構成が開示されている。
【先行技術文献】
【特許文献】
【０００３】
【特許文献１】特開２００４−１９５０８４公報
【特許文献２】特開平０６−００７５０９号公報
【発明の開示】
【発明が解決しようとする課題】
【０００４】
以上のように従来の可動盤面部品を進退動作させる機構にあっては、左右方向、或いは前後方向に単純に動作させたり、遊技盤面外にあった盤面部品が盤面内に出現するという程度の単純な変化に過ぎないため、可動盤面部品の動作量や動作タイミングに変化を付与したとしても変化に乏しい内容となり易く、遊技者に退屈感を与え、興趣を低下させるという問題があった。また、ギミックのサイズが大きい等の理由により遊技盤面内にレイアウトすることが困難な場合に当該ギミックの使用を諦めざるを得ないことが多々あった。特にギミックを回転、その他、任意に動作させたい場合には、ギミックを駆動する駆動機構の収納スペースとの兼ね合いでギミックを配置できなくなることが多々あった。
本発明は上記に鑑みてなされたものであり、可動盤面部品（装飾体）を、遊技盤面に沿って開閉する複数の開閉部材と、各開閉部材により個別に支持された円弧状ギヤ片から成る分割可能な環状ギヤ部材と、各円弧状ギヤ片に固定された分割ギミック片とから構成し、各開閉部材が閉止位置にある時に各円弧状ギヤ片の端縁同志が連結して一つの環状ギヤ部材を構成して回転可能となるように構成した装飾体ユニット、遊技盤、及びパチンコ遊技機を提供するものである。
また、スペース上の理由から可動ギミックを遊技盤面上に配置できない場合であっても、これを配置することを可能とすることを目的としている。
更に、可動装飾体にＬＥＤを搭載した場合に、可動装飾体を可動な状態で支持する固定部材側から可動装飾体への給電を可能とする構造を提供することを目的としている。
【課題を解決するための手段】
【０００５】
上記目的を達成するため、請求項１の発明に係る装飾体ユニットは、内側端縁を近接させた閉止位置と離間させた離間位置との間を開閉自在に移動する複数の開閉部材と、前記各開閉部材により夫々支持されて該各開閉部材が閉止位置にあるときに各端縁同志を結合させて回転可能な環状ギヤ部材となる円弧状ギヤ片と、少なくとも一方の前記開閉部材により支持されて前記環状ギヤ部材に駆動力を伝達する駆動機構と、前記各開閉部材に設けられて前記各円弧状ギヤ片を円弧状軌道に沿って移動可能にガイドするガイド部と、を備え、前記各円弧状ギヤ片には、夫々結合することにより一つのギミックを構成する分割ギミック片が固定されており、且つ少なくとも一つの前記分割ギミック片には光源が搭載されており、前記各開閉部材に固定配置され該各開閉部材が閉止位置にある時に各端部同士が電気的に接続されて環状電極を形成する電極片と、前記光源を搭載した前記分割ギミック片に設けられて前記環状電極と摺動接触して電流の供給を受ける摺動電極と、を備えたことを特徴とする。
開閉部材が離間しているときには非連結状態にある一方で、開閉部材が閉止状態に移行した時には端縁同志を連結させて環状ギヤ部材を構築する。この環状ギヤ部材はガイド部によって回転自在に支持されており、駆動機構からの駆動力によって回転運動することができる。この環状ギヤ部材の回転に伴ってギミックを回転させることにより変化に富んだ遊技内容を確率することができる。開閉部材の個数、及び環状ギヤ部材を構成する円弧状ギヤ片の個数は、任意である。
【０００６】
従来、ギミック等を回転させる場合には、モータにより駆動される回転軸によりギミックを回転させるのが一般であるが、本発明は回転軸に代えて環状ギヤ部材を利用してギミックを回転可能に構成している。しかも、環状ギヤ部材は結合、分離自在な複数の円弧状ギヤ片から構成されているので、この構成を遊技の進行に合わせて多様な演出手段として利用することができる。
各円弧状ギヤ片と各分割ギミック片との固定は、着脱自在な固定であってもよいし、成形により一体化された固定であってもよいし、カシメなどによる固定であってもよい。
また、ギミックが大型である等の理由により遊技盤上に配置するスペースを確保しにくい場合であっても、分割したギミック片を夫々円弧状ギヤ片に組み付けることにより、ギミック片を退避した位置と集合した位置との間で進退させることにより、ギミックの配置が可能となる。
また、各開閉部材に固定配置され各開閉部材が閉止位置にある時に各端部同士が電気的に接続されて環状電極を形成する電極片と、ＬＥＤ等の光源を搭載した分割ギミック片に設けられて環状電極と摺動接触して電流の供給を受ける摺動電極と、を備えることにより、固定側の環状電極から可動側のギミックに搭載されたＬＥＤ等に対して給電し続けることが可能となる。
【０００７】
請求項２の発明に係る装飾体ユニットは、内側端縁を近接させた閉止位置と離間させた離間位置との間を開閉自在に移動する２つの開閉部材と、前記２つの開閉部材により夫々支持されて各開閉部材が閉止位置にあるときに各端縁同志を結合させて回転可能な環状ギヤ部材となる２つの半環状ギヤ片と、少なくとも一方の前記開閉部材により支持されて前記環状ギヤ部材に駆動力を伝達する駆動機構と、前記各開閉部材に設けられて前記各半環状ギヤ片を半円周軌道に沿って移動可能にガイドするガイド部と、を備え、前記各半環状ギヤ片には、夫々結合することにより一つのギミックを構成する分割ギミック片が固定されており、且つ少なくとも一つの前記分割ギミック片には光源が搭載されており、前記各開閉部材に固定配置され該各開閉部材が閉止位置にある時に各端部同士が電気的に接続されて環状電極を形成する電極片と、前記光源を搭載した前記分割ギミック片に設けられて前記環状電極と摺動接触して電流の供給を受ける摺動電極と、を備えたことを特徴とする。
各半環状ギヤ片と各分割ギミック片との固定は、着脱自在な固定であってもよいし、成形により一体化された固定であってもよいし、カシメなどによる固定であってもよい。
請求項３の発明に係る装飾体ユニットは、前記環状ギヤ部材を周方向サイズの異なる２つの円弧状ギヤ片から構成したことを特徴とする。
【０００８】
請求項４の発明に係る装飾体ユニットは、前記環状ギヤ部材を少なくとも３個の円弧状ギヤ片から構成したことを特徴とする。
請求項５の発明に係る装飾体ユニットは、前記各円弧状ギヤ片、又は前記各半環状ギヤ片の各端縁が、前記各開閉部材の各内側端縁に沿って並行する初期位置となるように前記各円弧状ギヤ片、又は前記各半環状ギヤ片を位置決めする位置決め手段を備えたことを特徴とする。
請求項６の発明に係る装飾体ユニットは、前記位置決め手段は、前記ガイド部に設けた切欠き部から露出した環状ギヤ部材の一部に設けたマーカーと、該マーカーを検知する検知手段と、から構成されていることを特徴とする。
請求項７の発明に係る遊技盤ユニットは、請求項１乃至６の何れか一項に記載の装飾体ユニットと、遊技盤とを備えたことを特徴とする。
請求項８の発明に係るパチンコ遊技機は、請求項７に記載の遊技盤ユニットを備えたことを特徴とする。
【発明の効果】
【０００９】
本発明によれば、可動盤面部品（装飾体）を、遊技盤面に沿って開閉する複数の開閉部材と、各開閉部材により個別に支持された円弧状ギヤ片から成る分割可能な環状ギヤ部材と、各円弧状ギヤ片に固定された分割ギミック片とから構成し、各開閉部材が閉止位置にある時に各円弧状ギヤ片の端縁同志が連結して一つの環状ギヤ部材を構成して回転可能となるように構成した装飾体ユニット、遊技盤、及びパチンコ遊技機を提供することができる。即ち、開閉部材に搭載した円弧状ギヤ片が開閉部材の閉止時に連結した状態となって回転可能となるため、遊技内容に変化をもたらすことができ、意外性を有した遊技内容を演出することができる。特に、ギミック等を回転させる手段として一般に使用されている回転軸に代えて、環状ギヤ部材を利用し、しかも環状ギヤ部材は結合、分離自在な複数の円弧状ギヤ片から構成されているので、この構成を遊技の進行に合わせて多様な演出手段として利用することができる。
また、ギミックが大型である等の理由により遊技盤上に配置するスペースを確保しにくい場合であっても、分割したギミック片を夫々円弧状ギヤ片に組み付けることにより、ギミック片を退避した位置と集合した位置との間で進退させることにより、ギミックの配置が可能となる。
また、各開閉部材に固定配置され各開閉部材が閉止位置にある時に各端部同士が電気的に接続されて環状電極を形成する電極片と、ＬＥＤ等の光源を搭載した分割ギミック片に設けられて環状電極と摺動接触して電流の供給を受ける摺動電極と、を備えることにより、固定側の環状電極から可動側のギミックに搭載されたＬＥＤ等に対して給電し続けることが可能となる。
【図面の簡単な説明】
【００１０】
【図１】本発明の実施形態に係る装飾体ユニットを搭載したパチンコ遊技機の一例を示した全体正面図である。
【図２】本発明の実施形態に係る装飾体ユニットを搭載したパチンコ遊技機の一例を示した全体正面図である。
【図３】（ａ）及び（ｂ）は本発明の一実施形態に係る装飾体ユニット（閉止状態）の全体構成を示す正面図、及び装飾体ユニットの背面図であり、（ｃ）は要部構成を示す断面図である。
【図４】（ａ）及び（ｂ）は本発明の一実施形態に係る装飾体ユニット（開放状態）の全体構成を示す正面図、及び装飾体ユニットの背面図である。
【図５】装飾体ユニット（閉止状態）の全体構成を示す正面斜視図である。
【図６】（ａ）及び（ｂ）は装飾体ユニットの閉止状態を示す背面斜視図、及び開放状態を示す背面斜視図である。
【図７】装飾体ユニットの要部分解斜視図である。
【図８】（ａ）及び（ｂ）は装飾体ユニットの回転状態を示す正面図、及び背面図である。
【図９】位置決め手段とギミックの回転角度との関係を示す説明図である。
【図１０】（ａ）（ｂ）は位置決め手段の構成、及び動作説明図である。
【図１１】（ａ）（ｂ）は位置決め手段の構成、及び動作説明図である。
【図１２】（ａ）（ｂ）はＬＥＤを搭載したギミックの構成図である。
【図１３】（ａ）及び（ｂ）はギミック上のＬＥＤに給電するための構成例を示す斜視図、及び要部背面図である。
【図１４】（ａ）及び（ｂ）は本発明の他の実施形態に係る装飾体ユニットの構成及び動作説明図である。
【図１５】（ａ）及び（ｂ）は本発明の他の実施形態に係る装飾体ユニットの構成及び動作説明図である。
【発明を実施するための最良の形態】
【００１１】
以下、本発明を図面に示した実施の形態により詳細に説明する。
図１、及び図２は、本発明の実施形態に係る装飾体ユニットを搭載したパチンコ遊技機の一例を示した全体正面図である。
この図に示すパチンコ遊技機１は、矩形形状の枠２を有し、この枠２の窓孔に対して表側から遊技盤３が着脱可能に取り付けられている。
遊技盤３の前面側には、図示しないガラス枠が開閉可能に取り付けられている。またガラス枠の下部には、遊技球を貯留する受け皿部４と、この受け皿部４内の遊技球を発射する発射レバー５等が設けられている。
受け皿部４の上面には、例えば遊技者自身に操作を行わせて遊技に対する参加感を演出する演出ボタン６が設けられている。また、図示しないが受け皿部４の上面には、遊技球の購入ボタン、購入取り消しボタン、受け皿部４内の遊技球を下方から外部に抜くための球抜きボタン等が設けられている。
【００１２】
遊技盤３には、装飾体ユニット３０、画像表示手段である画像表示装置１１が組み付けられ、更に主制御基板とサブ制御基板等、遊技の進行、演出に関わる裏部品を組み付けた合成樹脂製の機構板（何れも図示せず）が装着されている。遊技盤３における遊技領域３ａの周囲には、外レールＲ１及び内レールＲ２が設けられている。これら外レールＲ１及び内レールＲ２は、発射レバー５を操作したときに発射装置から発射された遊技球を遊技領域３ａの上部に案内したり、アウト口１８に案内する。
画像表示装置１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示装置１１の下方には、可変入賞装置１２が配置されている。可変入賞装置１２は、上始動口１３と、左右一対の開閉爪（可動片）を有する電動式チューリップ（以下、「電チュー」と称する）１４とを備えて構成される。上始動口１３の内部には、特別図柄表示器２１の特別図柄を変動表示する権利を発生させる第１始動口スイッチ（ＳＷ）が設けられている。また電チュー１４の内部には、特別図柄表示器２２の特別図柄を変動表示する権利を発生させる第２始動口スイッチ（ＳＷ）が設けられている。なお、本実施形態では、上始動口１３と電チュー１４とにそれぞれ別々の始動口スイッチを設けるようにしているが、これはあくまでも一例であり始動口スイッチは共有してもよい。
【００１３】
また画像表示装置１１の左側には、後述する普通図柄表示器２３を作動させるためのゲート１５が設けられている。ゲート１５は、その内部にゲートスイッチ（ＳＷ）が設けられており、遊技球がゲートＳＷを通過したときに、普通図柄表示器２３の普通図柄が所定時間作動して停止するようになっている。普通図柄表示器２３の普通図柄が所定態様で停止した場合は、電チュー１４が所定時間、開成動作するように構成されている。
可変入賞装置１２の下方には、特別遊技状態のときに開成状態になる大入賞装置の大入賞口１６が設けられている。
さらに遊技盤３の遊技領域３ａには、普通入賞口１７が設けられていると共に、風車や図示しない多数の遊技釘が突設されている。遊技釘は、遊技球の落下速度を遅くすると共に、落下方向を複雑に変化させて遊技進行上の興趣を高めている。
遊技盤３の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。第１特別図柄表示器２１及び第２特別図柄表示器２２は、特別図柄を変動表示させ所定時間経過後に当該変動表示を静止させることにより当たりに当選したか否か表示する。
【００１４】
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化する場合を例に挙げて説明するが、保留球の入賞順に消化するように構成してもよい。
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。なお、本実施形態では、第１、第２特別図柄表示器２１、２２、普通図柄表示器２３、第１、第２特別図柄保留ランプ２４、２５、及び普通図柄保留ランプ２６を、遊技盤３の遊技領域外に配置するようにしているが、これはあくまでも一例であり、これらの表示器を遊技盤３の遊技領域３ａ内に配置することも勿論可能である。
本発明に係る装飾体ユニット３０は、開閉部材３１と、環状ギヤ部材４０と、ギミックの駆動機構５０と、星形のギミック６０等、から概略構成されている。
【００１５】
図３（ａ）及び（ｂ）は本発明の一実施形態に係る装飾体ユニット（閉止状態）の全体構成を示す正面図、及び装飾体ユニットの背面図であり、図３（ｃ）は要部構成を示す断面図であり、図４（ａ）及び（ｂ）は本発明の一実施形態に係る装飾体ユニット（開放状態）の全体構成を示す正面図、及び装飾体ユニットの背面図であり、図５は装飾体ユニット（閉止状態）の全体構成を示す正面斜視図であり、図６（ａ）及び（ｂ）は装飾体ユニットの閉止状態を示す背面斜視図、及び開放状態を示す背面斜視図であり、図７は装飾体ユニットの要部分解斜視図であり、図８（ａ）及び（ｂ）は装飾体ユニットの回転状態を示す正面図、及び背面図であり、図９は位置決め手段とギミックの回転角度との関係を示す説明図であり、図１０（ａ）（ｂ）、及び図１１（ａ）及び（ｂ）は位置決め手段の構成、及び動作説明図であり、図１２（ａ）（ｂ）はＬＥＤを搭載したギミックの構成図である。
【００１６】
装飾体ユニット３０は、内側端縁３１ａを近接（接触、非接触を含む）させた閉止位置と離間させた離間位置との間を開閉自在に移動する２つの開閉部材３１と、２つの開閉部材３１により夫々支持されて各開閉部材が閉止位置にあるときに各端縁同志４１ａ、４２ａを結合させて回転可能な環状ギヤ部材４０を形成する２つの半環状ギヤ片（円弧状ギヤ片）４１、４２と、少なくとも一方の開閉部材３１により支持されて環状ギヤ部材４０に駆動力を伝達する駆動機構５０と、各開閉部材の裏面側に設けられて半環状ギヤ片４１、４２が結合した環状ギヤ部材４０を円周軌道に沿って移動可能にガイドするガイド部（環状ガイド部）３５と、各半環状ギヤ片に夫々固定され結合したときに一つのギミック（星形部材）６０を形成する分割ギミック片６１と、を備えている。
なお、各半環状ギヤ片と各分割ギミック片との固定は、着脱自在な固定であってもよいし、成形により一体化された固定であってもよいし、接着、カシメなどによる固定であってもよい。
【００１７】
各開閉部材３１は、画像表示装置１１の前面を閉止する閉止位置（図１、図３）と、画像表示装置の前面を開放する開放位置（図２、図４）との間を横方向へ開閉移動する。各開閉部材３１は、支持ベース３２に支持されたガイドレール３３ａにより下端縁をスライド自在に支持されると共に、各開閉部材３１の上部に設けた長穴３３ｂを支持ベース３２に設けたピン３２ａにスライド自在に遊嵌させることによって横方向へ開閉自在に支持される。
各開閉部材３１は、ラックアンドピニオン機構３４によって開閉駆動される。各ラックアンドピニオン機構３４は、各開閉部材３１に夫々固定されたラックギヤ３４ａと、支持ベース３２に夫々固定されて出力軸にラックギヤ３４ａと噛合するピニオンギヤ３４ｃを有したモータ３４ｂと、を夫々備えている。従って、各モータ３４ｄを同期して正転、逆転させる過程で各開閉部材３１は等ピッチにて開放方向（離間方向）及び閉止方向（接近方向）へ進退することができる。
なお、少なくとも一方の開閉部材３１に磁石を設けると共に、他方の開閉部材にはこの磁石と吸着する磁性体を設け、各開閉部材の閉止状態を該磁石と該磁性体によって維持するように構成しても良い。
【００１８】
図１３に示すように各開閉部材３１の前面には夫々半環状の導板片（電極片）３７ａが固定されており、各導板片３７ａは開閉部材３１と一体的に開閉移動する。各導板片３７ａの内側端縁同士は開閉部材３１の閉止時に電気的な接続状態となって環状導板（環状電極）３７を形成する。各開閉部材３１の裏面の内側端縁には夫々開閉検知センサ３８が取り付けられており、開閉部材及び導板片の開放と閉止を夫々検知する。開閉検知センサ３８は、フォトセンサ、或いは磁気センサ等から構成する。各開閉検知センサ３８ａ、３８ａから延びるリード線は各開閉部材３１に形成した貫通穴を介して開閉部材前面の各導板片３７ａと導通（半田付け）する。環状導板（環状電極）３７に対しては図示しない電源が接続されており、ギミックに搭載された後述するＬＥＤに給電するための電流が環状導板３７に供給される。なお、環状導板３７は、厳密な意味の環状である必要はなく、ギミックと共に回転する摺動電極（後述）が常時接触し続けることができる形状であればよい。
図示しない制御部（ＣＰＵ）は、ラックアンドピニオン機構３４が駆動することによって開閉部材が動作する際に、開閉検知センサ３８からの検知信号に基づいて開閉部材３１の開閉状態を判定する。制御部は、対向する各開閉検知センサ３８ａ、３８ａが接触（近接）したときに開閉部材の閉止を判定し、離間した時に開放（非閉止）を判定する。制御部はこれらの情報に基づいて駆動機構５０を制御する。
【００１９】
外周縁に沿ってギヤを有した環状ギヤ部材４０は、図３のように開閉部材３１が閉止位置にあるときに各開閉部材３１に夫々固定された半円弧状の分割ガイド部３６から成る環状且つ中空のガイド部３５によって周方向へガイドされることにより回転（自転）可能に支持されており、駆動機構５０を構成するギヤからの駆動力により回転駆動される。後述するようにガイド部３５の一部に設けた切欠き部を介して駆動機構を構成するギヤを環状ギヤ部材４０と噛合させる。ギミック６０は環状ギヤ部材４０と一体となって回転する。各分割ガイド部３６は両端縁が開口しており、両端開口同志を結合させることにより環状のガイド部３５を形成する。
ガイド部３５は、開閉部材３１の背面との間で断面形状が矩形のガイド空間を形成する断面形状が略コ字状の部材である。この断面形状が矩形のガイド空間内に環状ギヤ部材４０を遊嵌して回転させることができる。なお、ガイド部３５のガイド空間内に収容された環状ギヤ部材４０がガイド空間から脱落しないように、任意の脱落防止手段を講じる。例えば、図３（ｃ）に示すように、環状ギヤ部材４０とギミック６０との連結部６０Ａの肉厚を薄く構成する一方で、開閉部材３１にはガイド空間と連通する円周状のガイドスリット３１Ａを設け、このガイドスリット３１Ａ内に連結部６０Ａを配置して脱落を防止する。このように構成すれば、ギミックと環状ギヤ部材との一体回転時に連結部はガイドスリットに沿ってスムーズに移動することができる。
【００２０】
環状ギヤ部材４０は、各開閉部材３１に設けた各分割ガイド部３６によって夫々周方向へ移動自在に支持された２個の半環状ギヤ片（円弧状ギヤ片）４１、４２から構成されており、図４、図６（ｂ）に示した開閉部材の開放時には各半環状ギヤ片４１、４２は各端縁４１ａ、４２ａが、各開閉部材の各内側端縁３１ａに沿って並行した初期位置となるように、位置決め手段４５によって各半環状ギヤ片はその回転角度を位置決めされている。この初期位置では、各半環状ギヤ片４１、４２の各端縁４１ａ、４２ａは開閉部材の各内側端縁３１ａから突出しない位置に保持されている。なお、初期位置において各端縁４１ａ、４２ａが開閉部材の各内側端縁３１ａから突出してもよいが、その場合には全ての端縁４１ａ、４２ａの突出長が同等となるように設定する。従って、開閉部材が図４の開放状態から図３の閉止状態に移行したときには、各半環状ギヤ片４１、４２の各端縁４１ａ、４２ａがそのまま結合して環状ギヤ部材４０を構成することとなる。
開閉部材３１が閉止状態となった時には、各分割ガイド部３６の端縁同志が結合して環状となり、円周軌道を構築するので、環状ギヤ部材４０を３６０度以上回転自在にガイドすることができる。
【００２１】
各半環状ギヤ片４１、４２は、夫々各分割ギミック片６１、６１と一対一の関係で一体化されており、各半環状ギヤ片４１、４２が環状ギヤ部材４０を形成した時には、各分割ギミック片６１、６１はギミック６０を形成し、これらは一体となって回転する。
駆動機構５０は、本例では一方の開閉部材３１に配置されたギヤ機構５１と、モータ５２と、から構成されている。即ち、ギヤ機構５１は、モータ５２の出力軸に一体化された出力ギヤ５１ａと、出力ギヤ５１ａと順次連結された中間ギヤ５１ｂ〜５１ｅと、から構成されており、中間ギヤ５１ｅは環状ギヤ部材４０の外周に設けたギヤ部と噛合している。なお、中間ギヤ５１ｅと環状ギヤ部材４０のギヤ部とが対面する位置では、一方の分割ガイド部３６に切欠き３６ａ（図７参照）を設けて両ギヤ部同志の噛合を可能とする。
【００２２】
図８（ａ）及び（ｂ）は、ラックアンドピニオン機構３４を作動させて両開閉部材３１を閉止した状態で、各半環状ギヤ片４１、４２が連結されて環状ギヤ部材４０が完成された状態を示している。この時に、駆動機構５０を駆動することにより環状ギヤ部材４０と共にギミック６０が回転駆動される。
位置決め手段４５は、図１０、図１１に示すように分割ガイド部３６に設けた切欠き部３６ａから露出した環状ギヤ部材４０の一部、本例では環状ギヤ部材４０（半環状ギヤ片４１、４２）と一体化された円板４６（半環状円板片）の適所に設けたマーカー（着色部）４６ａを検知する検知手段４７と、から構成されている。検知手段４７は一方の開閉部材３１の裏面に固定されている。マーカー４６ａは、円板４６の他の部位の色とは明度が異なる色に着色されており、フォトセンサから成る検知手段４７によって確実に識別、検知されるように構成されている。マーカー４６ａは、検知手段４７がこれを検知したときに、各半環状ギヤ片４１と４２の端縁同士が接合した状態（図１０の状態）となるように設定されている。なお、マーカーとしては着色部以外に貫通穴を用いても良い。
両開閉部材３１が開放状態にある時にギミック６０及び環状ギヤ部材４０が図４（ｂ）中に示した初期位置にある時には図１０に示すように検知手段４７がマーカー４６ａを検知できるため、図示しない制御部は開閉部材３１を閉止可能な状態になった旨を判定し、ラックアンドピニオン機構３４を駆動して開閉部材を閉止させる。
【００２３】
一方、両開閉部材３１が開放状態にある時にギミック６０及び環状ギヤ部材４０が図８（ａ）中に実線で示した非初期位置にある時には図１１に示すように検知手段４７がマーカー４６ａを検知できないため、図示しない制御部は開閉部材を閉止可能な状態にない旨を判定する。
なお、検知手段４７はフォトセンサである必要はなく、磁気センサを用いても良い。この場合には、マーカーに代えて磁石等の被検知部材を用いる。或いは、リミットスイッチであってもよい。
【００２４】
次に、図１２（ａ）及び（ｂ）はギミックにＬＥＤを搭載した場合の構成例を示す全体斜視図、及び要部拡大図であり、図１３（ａ）及び（ｂ）はギミック上のＬＥＤに給電するための構成例を示す斜視図、及び要部背面図である。
ギミック６０の前面にはＬＥＤ（光源）６３が搭載されている。ＬＥＤ６３は各分割ギミック片に組み付けられた図示しないプリント基板上に搭載されており、プリント基板からギミックの裏面側に引き出されたリード線６３ａには板バネから成る摺動電極６４が接続されている。摺動電極６４は一端をギミック背面に螺子止め固定されて他端を所要の角度で後方へ突出させており、この突出した摺動電極先端部が環状導板３７の前面と摺動するように位置関係が設定されている。摺動電極６４はバネ性を有しており、弾性変形するように構成されている。
【００２５】
一方、各開閉部材３１の前面に夫々固定された導板片（電極片）３７ａは、図１３に示した開閉部材３１の閉止時に、内側端縁同士を接続した状態となって環状導板（環状電極）３７を形成する。固定側の環状導板３７に対して、一体化されたギミック６０と環状ギヤ部材４０が回転する際に、ギミック６０の各部に設けられた摺動電極６４が環状導板３７の前面と摺動しながら電気的接続を維持し続けるため、環状導板３７と接続された図示しない電源から供給された電流が摺動電極６４を介して各ＬＥＤに供給されてこれを発光させる。
このようにギミック６０にＬＥＤを搭載して発光させることにより、電飾による演出効果を付与することができる。回転するギミック６０と、これを支持する固定側の開閉部材に設けられた環状導板３７との間は、摺動電極６４により接続されているため、スムーズな給電が可能となる。また、開閉検知センサ３８も環状導板３７から給電を受けて作動する。
なお、開閉部材３１の全部、又は一部を透明、或いは半透明の透光材料により構成したり、一部に貫通部を設けておけば、閉止状態にある開閉部材の背面側に位置する画像表示装置１１の映像を前方から視認可能とすることができる。また、このような開閉部材の背面に位置する画像表示装置を発光させることにより閉止状態にある開閉部材を発光させる電飾効果を発揮させることができる。
また、画像表示装置１１の画面上に表示される絵柄、文字等と、ギミックの形状や、ギミックに描かれた絵柄とを連携させることにより、バリエーションに富んだ演出効果を発揮させることができる。
【００２６】
上記実施形態では、環状ギヤ部材４０を二個の半円弧状の半環状ギヤ片（円弧状ギヤ片）４１、４２から構成した例を示したが、これは一例に過ぎず、例えば、図１４に示すように環状ギヤ部材４０を周方向サイズの異なる２つの円弧状ギヤ片４３、４４から構成してもよい。この例では、一方の円弧状ギヤ片４３の中心角度を９０度とする一方で、他方の円弧状ギヤ片４４の中心角度を２７０度としている。各円弧状ギヤ片４３、４４は、各開閉部材３１に設けた各分割ガイド部３６の円弧状のガイド軌跡に沿って回動自在に支持されており、開閉部材３１が図１４（ａ）のように閉止した時には端縁４３ａ、４４ａ同志を結合させて環状ギヤ部材４０を構成する。（ｂ）のように開閉部材３１が離間した時には各円弧状ギヤ片４３、４４も離間する。この構成を利用すれば、閉止状態にある開閉部材の内側端縁３１ａから左右何れか一方に偏位した回転中心を有する回転体としてのギミックを構築することができる。ガイド部３５、位置決め手段４５、駆動機構５０の構成は、上記実施形態と同様で差し支えない。また、導板片３７ａと環状導板（環状電極）３７を介したギミック上のＬＥＤへの給電構造も同様に採用することができる。なお、符号３３は、支持ベース３２に支持された上下のガイドレールである。
なお、開閉部材３１の開閉方向は上記実施形態のように左右方向である必要はなく、上下方向、或いは斜め方向であってもよい。
【００２７】
また、上記実施形態では２つの開閉部材に夫々半環状ギヤ片、或いは円弧状ギヤ片を搭載して開閉部材の閉止時に各ギヤ片が結合して環状ギヤ部材を構成するようにしたが、３つ以上の開閉部材を用いて同様な構成を構築することもできる。例えば、図１５に示したように環状ギヤ部材を少なくとも３個の円弧状ギヤ片から構成し、各円弧状ギヤ片を支持した開閉部材を交差する方向（上下方向と左右方向等）へ進退させるようにしてもよい。この例では、上下左右に進退する４個の開閉部材７０を周方向に沿って隣接配置すると共に、各開閉部材７０に設けた分割ガイド部３６によって１／４（中心角度９０度）に分割された各円弧状ギヤ片７１を回動自在に支持することにより、上記実施形態と同様の機能を有した装飾体ユニットを構築することも可能である。ガイド部３５、位置決め手段４５、駆動機構５０の構成は、上記実施形態と同様で差し支えない。また、導板片３７ａと環状導板（環状電極）３７を介したギミック上のＬＥＤ６３への給電構造も同様に採用することができる。
【００２８】
以上のように本発明においては、装飾体ユニットを、遊技盤面に沿って開閉する複数の開閉部材と、各開閉部材により個別に支持された円弧状ギヤ片から成る分割可能な環状ギヤ部材と、各円弧状ギヤ片に固定された分割ギミック片とから構成し、各開閉部材が閉止位置にある時に各円弧状ギヤ片の端縁同志が連結して一つの環状ギヤ部材を構成して回転可能となるように構成したので、遊技内容に変化をもたらすことができ、意外性を有した遊技内容を演出することができる。特に、ギミックを回転させる手段として従来一般に使用されてきた回転軸に代えて、環状ギヤ部材を利用し、しかも環状ギヤ部材は結合、分離自在な複数の円弧状ギヤ片から構成されているので、この構成を遊技の進行に合わせて多様な演出手段として利用することができる。
【００２９】
また、ギミックが大型である等の理由により遊技盤上に配置するスペースを確保しにくい場合であっても、分割したギミック片を夫々円弧状ギヤ片に組み付けることにより、ギミック片を退避した位置と集合した位置との間で進退させることにより、ギミックの配置が可能となる。
また、各開閉部材３１に固定配置され各開閉部材が閉止位置にある時に各端部同士が電気的に接続されて環状電極３７を形成する電極片３７ａと、ＬＥＤ等の光源を搭載した分割ギミック片に設けられて環状電極と摺動接触して電流の供給を受ける摺動電極６４と、を備えることにより、固定側の環状電極から可動側のギミックに搭載されたＬＥＤ等に対して給電し続けることが可能となる。
上記各実施形に係る装飾体ユニット３０と、遊技盤３は、遊技盤ユニットを構成する。
なお、パチンコ遊技機の他の詳細な構成については図示説明していないが、本願発明の技術的範囲中に本発明の遊技盤ユニットを備えたパチンコ遊技機が含まれることに疑いがない。
【符号の説明】
【００３０】
１：パチンコ遊技機、２：枠、３：遊技盤、４：皿部、５：発射レバー、６：演出ボタン、１１：画像表示装置、１２：可変入賞装置、１３：上始動口、１４：電チュー、１５：ゲート、１６：大入賞口、１７：普通入賞口、１８：アウト口、２１：特別図柄表示器、２２：特別図柄表示器、２３：普通図柄表示器、２４：特別図柄保留ランプ、２５：特別図柄保留ランプ、２６：普通図柄保留ランプ、３０：装飾体ユニット、３１：開閉部材、３１Ａ：ガイドスリット、３１ａ：内側端縁、３２：支持ベース、３２ａ：ピン、３３ａ：ガイドレール、３３ｂ：長穴、３４：ラックアンドピニオン機構、３４ａ：ラックギヤ、３４ｂ：モータ、３４ｃ：ピニオンギヤ、３４ｄ：各モータ、３５：ガイド部、３６：分割ガイド部、３６ａ：切欠き部、３７：環状導板（環状電極）、３７ａ：導板片（電極片）、３８：開閉検知センサ、４０：環状ギヤ部材、４１、４２：円弧状ギヤ片、４１ａ：各端縁、４３、４４：円弧状ギヤ片、４３ａ：端縁、４５：位置決め手段、４６：円板、４６ａ：マーカー、４７：検知手段、５０：駆動機構、５１：ギヤ機構、５１ａ：出力ギヤ、５１ｂ：中間ギヤ、５１ｅ：中間ギヤ、５２：モータ、６０：ギミック、６０Ａ：連結部、６１：分割ギミック片、６３：ＬＥＤ、６３ａ：リード線、６４：摺動電極、７０：開閉部材、７１：円弧状ギヤ片
【図１】
2011010813.tif 000003
【図２】
2011010813.tif 000004
【図３】
2011010813.tif 000005
【図４】
2011010813.tif 000006
【図５】
2011010813.tif 000007
【図６】
2011010813.tif 000008
【図７】
2011010813.tif 000009
【図８】
2011010813.tif 000010
【図９】
2011010813.tif 000011
【図１０】
2011010813.tif 000012
【図１１】
2011010813.tif 000013
【図１２】
2011010813.tif 000014
【図１３】
2011010813.tif 000015
【図１４】
2011010813.tif 000016
【図１５】
2011010813.tif 000017